(57)【要約】【課題】古紙パルプ製造工程における白水改質方法及び古紙パルプ製造方法を提供する。【解決手段】主原料である古紙から古紙パルプを製造する工程における白水改質方法であって、古紙パルプ製造工程の少なくとも一箇所でモノクロラミン及び／又はモノブロラミンを白水に連続添加する薬剤連続添加処理を含み、白水の酸化還元電位が最も低い箇所で、−４００ｍＶ以下である古紙パルプ製造工程に対し、上記薬剤連続添加処理を行う白水改質方法。【選択図】図１
2020128601.tif 000002
【特許請求の範囲】
【請求項１】
主原料である古紙から古紙パルプを製造する工程における白水改質方法であって、
古紙パルプ製造工程の少なくとも一箇所でモノクロラミン及び／又はモノブロラミンを白水に連続添加する薬剤連続添加処理を含み、
白水の酸化還元電位が最も低い箇所で−４００ｍＶ以下である古紙パルプ製造工程に対し、前記薬剤連続添加処理を行うことを特徴とする古紙パルプ製造工程における白水改質方法。
【請求項２】
主原料である古紙から古紙パルプを製造する古紙パルプ製造方法であって、
古紙パルプ製造工程の少なくとも一箇所でモノクロラミン及び／又はモノブロラミンを白水に連続添加する薬剤連続添加処理を含み、
白水の酸化還元電位が最も低い箇所で−４００ｍＶ以下である古紙パルプ製造工程に対し、前記薬剤連続添加処理を行うことを特徴とする特徴とする古紙パルプ製造方法。
【請求項３】
モノクロラミン及び／又はモノブロラミンの濃度が、残留塩素量として０．５〜３０ｍｇ／Ｌである請求項１に記載の白水改質方法又は請求項２に記載の古紙パルプ製造方法。
【請求項４】
白水のパルプ濃度が０．０３〜３０％である箇所の少なくとも一箇所でモノクロラミン及び／又はモノブロラミンを白水に連続添加する請求項１若しくは３に記載の白水改質方法又は請求項２若しくは３に記載の古紙パルプ製造方法。
【請求項５】
古紙パルプ製造工程において、白水を供給する白水供給ラインを一つ以上備え、少なくとも一箇所の白水供給ラインでモノクロラミン及び／又はモノブロラミンを白水に連続添加する請求項１、３若しくは４に記載の白水改質方法又は請求項２、３若しくは４に記載の古紙パルプ製造方法。
【請求項６】
一つ以上の白水供給ラインは古紙パルプ製造工程におけるパルパー工程に白水を供給する白水供給ラインを含み、パルパー工程に白水を供給する白水供給ラインでモノクロラミン及び／又はモノブロラミンを白水に連続添加する請求項５に記載の白水改質方法又は請求項５に記載の古紙パルプ製造方法。
【請求項７】
残留塩素量が０．５ｍｇ／Ｌ以上である白水をパルパー工程に添加する請求項６に記載の白水改質方法又は請求項６に記載の古紙パルプ製造方法。
【請求項８】
白水の残留塩素量が０．５〜１０．０ｍｇ／Ｌとなるようにモノクロラミン及び／又はモノブロラミンを連続添加する請求項１、３、４、５、６若しくは７に記載の白水改質方法又は請求項２、３、４、５、６若しくは７に記載の古紙パルプ製造方法。
【請求項９】
古紙パルプ製造工程の少なくとも一か所で白水の残留塩素量を測定し、前記残留塩素量が所定の値になった後、前記残留塩素量が前記所定の値を維持するようにモノクロラミン及び／又はモノブロラミンを白水に連続添加又は間欠添加する請求項１、３、４、５、６、７若しくは８に記載の白水改質方法又は請求項２、３、４、５、６、７若しくは８に記載の古紙パルプ製造方法。
【発明の詳細な説明】
【技術分野】
【０００１】
本発明は、古紙を主原料とする古紙パルプ製造工程における白水改質方法及び古紙パルプ製造方法に関する。
【背景技術】
【０００２】
近年、段ボール需要が増加しており、段ボールに用いられる板紙の需要も増加している。ここで、板紙原紙の９０％以上は使用済み段ボールがリサイクルされたものである。段ボールは、種々の商品の梱包に用いられているため、様々な汚れが付着している。例えば、食品も例外ではなく、農作物の梱包以外にピザや即席ラーメン等の食品を直接梱包する場合にも段ボールが用いられている。そのため使用済み段ボールには食品汚れが付着している場合がある。また、段ボールは屋外に載置されることもあるため、砂や泥汚れが付着している場合も多い。
このような使用済み段ボールを再利用して段ボールに用いられる板紙を製造するにあたり、原料である使用済み段ボールを含む古紙から古紙パルプを製造する工程を経るが、この古紙には、使用済み段ボールの他に、新聞紙や雑誌等といった印刷古紙や雑紙が含まれる場合も多い。そのため、板紙用古紙パルプ製造工程では、様々な汚れが付着した使用済み段ボール、印刷古紙、及び、雑紙が用いられており、古紙の中でも最もグレードが低い古紙が使用されている。
【０００３】
古紙を主原料とする板紙の製造では、まずパルパーを用いて古紙を主原料とするパルプ原料を離解・叩解させてパルプ化工程水を得るパルプ化工程、得られたパルプ化工程水に紙力増強剤を含む添加剤を加えて調成パルプ原料を得る調成工程および得られた調成パルプ原料を抄いて板紙を得る抄紙工程などを経て、板紙を製造している。調成工程では、得られた板紙の強度を保持するために、紙力増強剤を調成工程水に添加している。
【０００４】
また、古紙には接着剤などに由来する澱粉が多く含まれている。澱粉は、紙力向上に寄与することが知られており、澱粉分解は紙製品の強度劣化を招く場合がある。
そこで、特許文献１では、澱粉が微生物の繁殖による腐敗に起因して分解することを前提に、古紙のパルプ化工程水における澱粉の分解を防止するために、工程水のアミラーゼ活性、澱粉濃度、ｐＨおよび酸化還元電位などを連続的または間欠的に測定し、その測定結果に基づいて殺菌剤を添加する紙の製造方法を提案している。
【先行技術文献】
【特許文献】
【０００５】
【特許文献１】特開２０１０−１００９４５号公報
【発明の概要】
【発明が解決しようとする課題】
【０００６】
しかしながら、特許文献１のような従来の方法では、古紙のパルプ化工程水に殺菌剤が添加されているのは、パルプ化工程水における酸化還元電位が−３００〜−２００ｍＶの腐敗環境に対してであった。このため、パルプ化工程水における酸化還元電位が−４００ｍＶ以下の劣悪な腐敗環境では、酸化還元電位（ＯＲＰ）測定等による水質管理によって、微生物の繁殖によるスライム成長の防止とスライム障害の改善を行う方法は取られておらず、単純にスライム障害が発生する箇所において、殺菌剤などの添加剤が短時間、高濃度で衝撃添加されるのみであった。
【０００７】
しかしながら、酸化還元電位（ＯＲＰ値）が−４００ｍＶ以下の劣悪な腐敗環境では、高濃度の殺菌剤を衝撃添加して腐敗環境を改善しても強烈な還元雰囲気のために有効成分が分解等により効力を失い短時間で元の腐敗環境に戻るため、腐敗環境が改善された状態を維持することが困難であった。そのため、パルプ化工程水における酸化還元電位が−４００ｍＶ以下である劣悪な腐敗環境においては、殺菌剤を用いて水質管理を行うことは困難であると考えられ、腐敗環境の改善は断念されていた。
【０００８】
そのため、上述のように古紙の中でもグレードの低い古紙（使用済み段ボール、雑誌、雑紙等を含む）の古紙パルプ製造工程では、ＯＲＰ値が−４００ｍＶ以下の劣悪な腐敗環境となるが充分な水質管理が行われていなかった。そのため、板紙用パルプ調成工程、板紙抄紙工程において、紙力増強剤、サイズ剤、歩留向上剤及び濾水性向上剤等の様々な薬品が使用されているにもかかわらず、板紙抄紙工程で断紙が発生するという問題があった。
【０００９】
本発明は、板紙抄紙工程において断紙の発生を低減させ、さらに板紙用パルプ調成工程、板紙抄紙工程において添加薬剤の添加量及びその効果を最適化することができる古紙パルプ製造工程における白水改質方法及び古紙パルプ製造方法を提供することを目的とする。
【００１０】
本発明者は、主原料として使用済み段ボールを含む古紙から古紙パルプを製造する古紙パルプ製造工程全体の調査を実施した。そして、古紙パルプの製造工程では、回収パルプ及び回収水の循環使用の高度化が進み、古紙由来の有機物や夾雑物が循環されて、細菌が繁殖しやすい条件となっており、劣悪な腐敗環境のため古紙パルプ製造工程内の菌数が１０７〜８ＣＦＵ／ｍｌと高く、ほぼ飽和状態であることを確認した。さらに、さらにストックタワー等のように古紙パルプ製造工程内において白水の滞留時間が長い工程では細菌が増殖し、古紙パルプ製造工程内で代謝物である有機酸が生成され、酸化還元電位（ＯＲＰ）の低下が進んでいることを見出した。
【００１１】
このような知見に基づき、本発明者らは鋭意研究を重ねた結果、抄紙工程での断紙の発生を低減し、従来、古紙パルプ製造工程において局所的に使用されてきた殺菌剤等の添加剤、及び、調成工程や抄紙工程において使用されてきた種々の添加剤の使用量及び効果を最適化するためには、これら添加剤の投入対象の１主成分である白水による影響を低減させることが重要であることを見出し、本発明を完成するに至った。
【課題を解決するための手段】
【００１２】
すなわち本発明は、主原料である古紙から古紙パルプを製造する工程における白水改質方法であって、古紙パルプ製造工程の少なくとも一箇所でモノクロラミン及び／又はモノブロラミンを白水に連続添加する薬剤連続添加処理を含み、白水の酸化還元電位が最も低い箇所で−４００ｍＶ以下である古紙パルプ製造工程に対し、上記薬剤連続添加処理を行うことを特徴とする古紙パルプ製造工程における白水改質方法である。
また、本発明は、主原料である古紙から古紙パルプを製造する古紙パルプ製造方法であって、古紙パルプ製造工程の少なくとも一箇所でモノクロラミン及び／又はモノブロラミンを白水に連続添加する薬剤連続添加処理を含み、白水の酸化還元電位が最も低い箇所で−４００ｍＶ以下である古紙パルプ製造工程に対し、上記薬剤連続添加処理を行うことを特徴とする古紙パルプ製造方法でもある。
上記モノクロラミン及び／又はモノブロラミンの濃度は、残留塩素量として０．５〜３０ｍｇ／Ｌであることが好ましい。
また、本発明は、白水のパルプ濃度が０．０３〜３０％である箇所の少なくとも一箇所でモノクロラミン及び／又はモノブロラミンを白水に連続添加することが好ましい。
本発明における古紙パルプ製造工程においては、白水を供給する白水供給ラインを一つ以上備え、少なくとも一箇所の白水供給ラインでモノクロラミン及び／又はモノブロラミンを白水に連続添加することが好ましい。
上記一つ以上の白水供給ラインは古紙パルプ製造工程におけるパルパー工程に白水を供給する白水供給ラインを含み、パルパー工程に白水を供給する白水供給ラインでモノクロラミン及び／又はモノブロラミンを白水に連続添加することが好ましい。
また、残留塩素量が０．５ｍｇ／Ｌ以上である白水をパルパー工程に添加することが好ましい。
また、本発明の白水改質方法又は古紙パルプ製造方法では、白水の残留塩素量が０．５〜１０ｍｇ／Ｌとなるようにモノクロラミン及び／又はモノブロラミンを連続添加することが好ましい。
また、本発明の白水の改質方法又は古紙パルプ製造方法では、古紙パルプ製造工程の少なくとも一箇所で白水の残留塩素量を測定し、上記残留塩素量が所定の値になった後、上記残留塩素量が上記所定の値を維持するように、モノクロラミン及び／又はモノブロラミンを白水に連続添加又は間欠添加することが好ましい。
以下、本発明を詳細に説明する。
【００１３】
本発明は、古紙パルプ製造工程の少なくとも一箇所でモノクロラミン及び／又はモノブロラミンを白水に連続添加する薬剤連続添加処理を含み、白水の酸化還元電位が最も低い箇所で−４００ｍＶ以下である古紙パルプ製造工程に対し、上記薬剤連続添加処理を行う古紙パルプ製造工程における白水改質方法である。
また、本発明は、古紙パルプ製造工程の少なくとも一箇所でモノクロラミン及び／又はモノブロラミンを白水に連続添加する薬剤連続添加処理を含み、白水の酸化還元電位が最も低い箇所で−４００ｍＶ以下である古紙パルプ製造工程に対し、上記薬剤連続添加処理を行う古紙パルプ製造方法でもある。
本発明における「白水」とは、古紙パルプ製造工程全体において使用される水のことをいい、例えば、古紙パルプ製造工程において、原料となる古紙を水と混合しながら機械力でパルプスラリーとする離解（パルパー）工程、古紙に含まれる異物を除去する粗選（除塵）工程、古紙に含まれる異物とパルプ分とをスクリーンで分離する精選工程、及びパルプの脱水を行う脱水工程等の各工程で用いられる水、及び排水される水を白水という。また、上記パルパー工程において原料である古紙と白水とが混合されたパルプスラリーが形成されるが、このパルプスラリーについてもパルプ成分を含有する白水であるため、本明細書においては白水と表現し、以下説明をする。さらに、抄紙工程等の別工程から再利用水として送水される水についても古紙パルプ製造工程で使用される水は全て白水という。
また、本発明において「古紙」とは、主原料として段ボールを５０％以上有する古紙であり、段ボールの他に、雑誌や新聞紙などの印刷古紙及び雑紙を含んでいてもよい。
【００１４】
なお、上記古紙パルプ製造工程では、離解工程、粗選工程、精選工程及び脱水工程を有していればよく、脱墨工程、洗浄工程及び漂白工程は、古紙パルプ製造工程を経て得られる古紙パルプの品質、及び／又は、原料である古紙の品質に応じて任意に選択される工程であってよい。
【００１５】
本発明の白水改質方法及び古紙パルプ製造方法において、モノクロラミン及び／又はモノブロラミンを白水に添加するとは、一又は複数の実施形態において、モノクロラミン及び／又はモノブロラミンを生成する薬品、モノクロラミン及び／又はモノブロラミンを含む薬品を使用することにより行うことができる。このような薬品としては、一又は複数の実施形態として、次亜塩素酸ナトリウムと、硫酸アンモニウム及び／又は臭化アンモニウムとを含む薬品等が挙げられる。モノクロラミンは、一又は複数の実施形態において、次亜塩素酸ナトリウムと、アンモニウム化合物とを混合することにより生成できる。モノブロラミンは、一又は複数の実施形態において、次亜臭素酸ナトリウムと、アンモニウム化合物とを混合することにより生成できる。アンモニウム化合物としては、一又は複数の実施形態において、硫酸アンモニウム、臭化アンモニウム、塩化アンモニウム、スルファミン酸アンモニウム、及びこれらの少なくとも２種以上の混合物等が挙げられる。次亜塩素酸ナトリウムとアンモニウム化合物とのモル比は、一又は複数の実施形態において、残留塩素と窒素とのモル比として１：１〜１：２、１：１．１〜１：２、１：１．２〜１：２、又は１：１．２〜１：１．６である。
【００１６】
ここで、上記モノクロラミンは結合塩素の一種であり、上記モノブロラミンは結合臭素の一種である。よって、ＯＣｌ−（Ｂｒ−）＋ＮＨ４＋→ＮＨ２Ｃｌ（Ｂｒ）＋Ｈ２Ｏのような反応で生成される穏やかな酸化剤である。
また同じ酸化剤である次亜塩素酸ナトリウムも強い酸化力を有するが、遊離塩素が白水中の様々な夾雑物及び不純物等と容易に且つ瞬時に反応するため、多量に添加しなければ白水改質効果を発揮することができない。モノクロラミン及び／又はモノブロラミンは適度な酸化力、殺菌力を有していることから古紙パルプ製造工程における白水の改質に適した化合物といえる。
【００１７】
なお、本発明において白水の改質とは、古紙パルプ製造工程における各工程（離解（パルパー）工程、除塵工程、脱墨工程、精選工程、洗浄・脱水工程及び漂白工程等）、調成工程及び抄紙工程での機械処理及び薬品処理において、白水成分に起因する機械処理及び薬品処理の無駄な消費が生じない程度に白水の性質を向上及び改質させるものであり、所定箇所における白水のｐＨ値、酸化還元電位（ＯＲＰ）、菌数及び残留塩素量等の測定値を指標として判断することができる。
各指標における判断基準は、例えば、古紙パルプを原料に抄紙を行う抄紙工程で求められる古紙パルプの品質や、抄紙工程の最終生成物である紙に求められる品質を考慮したうえで適宜設定することができるが、例えば、古紙パルプ製造工程の少なくとも一箇所における酸化還元電位であれば、好ましくは、１００ｍＶ以上、より好ましくは２００ｍＶ以上、さらに好ましくは２５０ｍＶ以上；古紙パルプ製造工程の少なくとも一箇所における菌数であれば、好ましくは１０６ＣＦＵ／ｍｌ以下、より好ましくは１０５ＣＦＵ／ｍｌ以下、さらに好ましくは１０４ＣＦＵ／ｍｌ以下；古紙パルプ製造工程の少なくとも一箇所における残留塩素量であれば、好ましくは０．５ｍｇ／Ｌ以上、より好ましくは１．５ｍｇ／Ｌ以上、さらに好ましくは３．０ｍｇ／Ｌ以上となっている場合、白水が改質されたと判断することができる。
【００１８】
上記指標の測定箇所としては、例えば、パルパー後、マシンチェスト、インレット、白水ピット等が挙げられる。製造される古紙パルプの品質に重要な影響を与える工程のためである。なお、マシンチェストは、脱水機からでてきたパルプスラリーをマシン側で受け取る工程であり、インレットは、抄紙する工程であり、白水ピットは、各工程で回収された白水を集約するタンクである。
また、上記指標のうち、残留塩素量及び／又は酸化還元電位は、古紙パルプ製造工程の白水ループ毎に少なくとも一箇所で測定されることがより好ましい。ここで、白水ループとは、古紙パルプ製造工程から抽出及び／又は排水される白水が白水ピットに集約され、白水ピットに集約された白水が上記古紙パルプ製造工程に供給されることで形成される白水の再循環系のことをいい、一つの白水ピットに対し一つの白水ループが形成される。なお、一つの白水ピットから複数の白水供給ラインを有する場合は、白水ピットから古紙パルプ製造工程の最上流側に白水を供給する最上流側白水供給ラインで形成される白水の再循環系を白水ループといい、上記最上流側白水供給ラインから分岐する白水供給ラインも上記白水ループの一部に含まれる。
【００１９】
モノクロラミン及び／又はモノブロラミンの濃度は、残留塩素量として（モノブロラミンの場合は残留塩素量換算値として）、０．５〜３０ｍｇ／Ｌであることが好ましく、１〜３０ｍｇ／Ｌがより好ましく、経済性の点から、１〜１０ｍｇ／Ｌ又は１〜５ｍｇ／Ｌが更に好ましい。
なお、本発明における「残留塩素量」の記載は、モノブロラミンである場合には「残留塩素量換算値」を意味する。
前記モノクロラミン及び／又はモノブロラミンの濃度は、一又は複数の実施形態において、古紙パルプ製造工程内における少なくとも一箇所における白水のｐＨ、酸化還元電位（ＯＲＰ）、菌数及び残留塩素量等の少なくとも一つの指標によって適宜決定できる。
【００２０】
本発明におけるモノクロラミン及び／又はモノブロラミンの白水への添加総量は、対パルプ量換算で、例えば、上限が２．０ｋｇ／ｔであることが好ましく、経済性の点から上限が１．５ｋｇ／ｔであることがより好ましい。
一方、古紙パルプ製造工程の複数箇所でモノクロラミン及び／又はモノブロラミンを白水に連続添加する場合、各箇所における添加量は、対パルプ量換算で０．５〜１．０ｋｇ／ｔであることが好ましい。
【００２１】
本発明において、パルプ濃度が、０．０３〜３０％である箇所の少なくとも一箇所でモノクロラミン及び／又はモノブロラミンを白水に連続添加することが好ましく、パルプ濃度が０．５〜２．０％である箇所であることが更に好ましい。
【００２２】
また、本発明における古紙パルプ製造工程は、白水を回収する白水回収ラインを一つ以上備えており、白水回収ラインは白水ピットに繋がれている。さらに、本発明における古紙パルプ製造工程は、白水を供給する白水供給ラインを一つ以上備えており、上記白水ピットから供給される白水及び／又は抄紙工程から再利用水として供給される白水が古紙パルプ製造工程の少なくとも一箇所に供給され、白水が循環使用されている。
ここで、古紙パルプ製造工程は、離解（パルパー）工程、粗選（除塵）工程、精選工程及び脱水工程の各工程を含む。また、脱墨工程、洗浄工程及び漂白工程等の各工程は、通常含まれないが、これらの工程を任意で含んでもよい。上記工程及びその前後の少なくとも一箇所において白水回収ライン及び／又は白水供給ラインを備えていることが好ましい。
本発明においては少なくとも一箇所の白水供給ラインでモノクロラミン及び／又はモノブロラミンを白水に連続添加することが好ましい。
この場合、離解（パルパー）工程、粗選（除塵）工程、精選工程及び脱水工程の少なくとも１つの工程から回収された白水が集約される白水ピットから繋がれる白水供給ラインの少なくとも一箇所でモノクロラミン及び／又はモノブロラミンを白水に連続添加することが好ましい。
また、本発明においては少なくとも一箇所の白水回収ラインでモノクロラミン及び／又はモノブロラミンを白水に連続添加することとしてもよい。
この場合、脱水工程に備えられた白水回収ラインの少なくとも一箇所でモノクロラミン及び／又はモノブロラミンを白水に連続添加することが好ましい。
【００２３】
また、本発明において、一つ以上の白水供給ラインは古紙パルプ製造工程におけるパルパー工程に白水を供給する白水供給ラインを含むことが好ましい。
パルパー工程に添加される白水としては、例えば、離解（パルパー）工程、粗選（除塵）工程、精選工程及び脱水工程の少なくとも１つの工程で回収された白水を用いることが好ましい。白水中の残留塩素を有効利用できるためである。
【００２４】
また、本発明において、少なくとも一箇所の原料ラインでモノクロラミン及び／又はモノブロラミンを白水に連続添加することが好ましい。ここで、原料ラインは、原料である古紙がパルパーに供給され、離解（パルパー）工程、除塵（粗選・精選）工程、脱水工程を経て、マシンチェスト、インレットまで送られるラインを意味する。この場合、離解（パルパー）工程、除塵（粗選・精選）工程及び脱水工程の各工程（パルパーからインレットまでの各工程）又は各工程をつなぐ原料ラインの少なくとも一箇所でモノクロラミン及び／又はモノブロラミンを白水に連続添加することが好ましく、より好ましくはパルパーとマシンチェストをつなぐ原料ライン、マシンチェストと配合チェストをつなぐ原料ラインなど、設備と設備とをつなぐ原料ラインでパルプ濃度が１〜４％、より好ましくは１〜２％の原料ラインの少なくとも一箇所でモノクロラミン及び／又はモノブロラミンを連続添加することが好ましい。
【００２５】
さらに、本発明では、白水供給ライン、白水回収ライン及び原料ラインを含む薬剤添加ラインのうち２種以上のラインにおいて、モノクロラミン及び／又はモノブロラミンを白水に連続添加することが好ましい。
【００２６】
また、本発明において、残留塩素量が０．５ｍｇ／Ｌ以上である白水をパルパーに添加することが好ましい。白水の残留塩素量は、１．５ｍｇ／Ｌ以上であることがより好ましく、３．０ｍｇ／Ｌ以上であることが更に好ましい。
こうすることにより、古紙パルプ製造工程の第一段階であるパルパー工程から、用いられる白水を改質することができ、古紙パルプ製造工程全体の白水の改質に効果的である。
【００２７】
本発明の古紙パルプ製造工程における白水改質方法及び古紙パルプ製造方法では、例えば、離解（パルパー）工程、除塵（粗選・精選）工程及び調成工程（マシンチェスト、配合チェスト）、インレット、白水ピット等において白水の残留塩素量を測定し、残留塩素量が０．５〜１０．０ｍｇ／Ｌとなるようにモノクロラミン及び／又はモノブロラミンを連続添加することが好ましく、残留塩素量が０．５〜５．０ｍｇ／Ｌとなるように連続添加することがより好ましい。
白水の残留塩素量が１．０ｍｇ／Ｌ以上であると細菌類の繁殖がほぼ抑制され、０．５ｍｇ／Ｌ未満であると細菌類の繁殖が進むためである。
【００２８】
本発明の白水改質方法及び古紙パルプ製造方法では、白水の残留塩素量が所定の値となるまでモノクロラミン及び／又はモノブロラミンを連続添加し、残留塩素量が前記所定の値となった後は、前記所定の値を維持するようにモノクロラミン及び／又はモノブロラミンを、白水に連続添加又は間欠添加することが好ましい。
なお、上記所定の値は、例えば、古紙パルプを原料に抄紙を行う抄紙工程で求められる古紙パルプの品質や、抄紙工程の最終生成物である紙に求められる品質を考慮したうえで適宜設定することができるが、古紙パルプ製造工程の少なくとも一箇所における残留塩素量が、０．５〜１０．０ｍｇ／Ｌであることが好ましく、１．５〜８．０ｍｇ／Ｌであることがより好ましく、３．０〜５．０ｍｇ／Ｌであることがさらに好ましい。
【００２９】
ここで、連続添加とは、古紙パルプ製造工程の少なくとも一箇所で、一定量のモノクロラミン及び／又はモノブロラミンを持続的に添加し、上記古紙パルプ製造工程の少なくとも一箇所の白水の残留塩素量が、０．５ｍｇ／Ｌを下回らないようにすることを意味する。そのため、古紙パルプ製造工程の少なくとも一箇所においてモノクロラミン及び／又はモノブロラミンを白水に絶え間なく供給し続ける場合の他に、供給と停止を繰り返すときであっても古紙パルプ製造工程の少なくとも一箇所における残留塩素量が、０．５ｍｇ／Ｌを下回らないようにモノクロラミン及び／又はモノブロラミンを白水に添加する場合は、連続添加に該当する。
【００３０】
本発明の白水改質方法における薬剤連続添加処理、及び、本発明の古紙パルプ製造方法における薬剤連続添加工程が、少なくとも１４日以上であることが好ましい。
上記薬剤連続添加処理が行われる古紙パルプ製造工程は、薬剤連続添加処理前の白水の酸化還元電位が最も低い箇所で−４００ｍＶ以下であるため、少なくとも１４日以上、薬剤を連続添加する必要があるためである。
【発明の効果】
【００３１】
本発明の白水改質方法及び古紙パルプ製造方法によれば、古紙パルプ製造工程全体で（循環）使用される白水のｐＨ値及び残留塩素量が向上し、酸化還元電位（ＯＲＰ）は、還元雰囲気から酸化雰囲気へ改善され、菌数の増加が抑制されるため、古紙パルプ製造工程の各工程（パルパー工程、除塵（粗選・精選）工程及び脱水工程）、調成工程及び抄紙工程で用いられる殺菌剤、紙力増強剤、サイズ剤、歩留向上剤及び濾水性向上剤等の添加剤（薬品ともいう。）の添加量及び効果を最適化することができる。
さらに、本発明の白水改質方法及び古紙パルプ製造方法によれば、抄紙工程での断紙の発生を低減させることができる。
なお、添加剤の添加量及び効果を最適化することができるとは、添加剤の効果が得られる範囲で添加剤の使用量を低減させることができることをいう。例えば、紙力剤の過剰な使用は水の汚れの原因となるために機械的な問題面を有し、さらに経済面からも使用量を抑えることが希望されている。また、白水の酸化還元電位、疎水性物質（ピッチ成分）量が低下する。更に、白水中の微生物量が減少する。さらに、濾水量が向上する。他の添加剤についても同様である。また、本発明によれば、古紙パルプ製造工程全体にわたって存在する白水を改質できるため、古紙パルプ製造工程の各工程における機械処理及び薬品処理の効果が発揮されやすく、パルプ純度の高い品質の良い古紙パルプを製造することができる。そのため、調成工程及び抄紙工程においての機械処理及び薬品処理の効果が発揮されやすく、断紙の発生を低減させることができる。
【図面の簡単な説明】
【００３２】
【図１】図１は、本発明の一実施形態における古紙パルプ製造工程のブロック図である。
【図２】図２は、本発明の他の実施形態における古紙パルプ製造工程のブロック図である。
【図３】図３は実施例１及び比較例１における測定日毎のｐＨを示すグラフである。
【図４】図４は実施例１及び比較例１における測定日毎のＯＲＰ値を示すグラフである。
【図５】図５は実施例１及び比較例１における測定日毎の濁度を示すグラフである。
【図６】図６は実施例１及び比較例１における測定日毎の電気伝導度を示すグラフである。
【図７】図７は実施例１及び比較例１における測定日毎のＦＰＲ値を示すグラフである。
【図８−１】図８−１は実施例１及び比較例１における疎水性物質（２３μｍ以下）の測定日毎の量変化を示すグラフである。
【図８−２】図８−２は実施例１及び比較例１における疎水性物質（１５０μｍ以下）の測定日毎の量変化を示すグラフである。
【図９】図９は実施例１及び比較例１における測定日毎の灰分を示すグラフである。
【図１０】図１０は実施例１及び比較例１における測定日毎の澱粉濃度を示すグラフである。
【図１１】図１１は実施例１及び比較例１における測定日毎の残留塩素量を示すグラフである。
【発明を実施するための形態】
【００３３】
以下に本発明の実施形態を示し、更に具体的に説明するが、本発明はこれらに限定されるものではない。
【００３４】
図１及び図２に、古紙パルプの製造工程を説明するブロック図を示す。図１は、本発明の一実施形態における古紙パルプ製造工程のブロック図であり、パルパー１による離解工程と、粗選機２による粗選工程と、ストックタンク３によるパルプスラリー貯蔵工程と、スクリーン４による精選工程と、脱水機５による脱水工程と、ストックタワー６によるパルプスラリー貯蔵工程とを含み、上記脱水機５から回収される白水を貯蔵する白水ピット９、得られたパルプに各種製紙助剤を混合するマシンチェスト７、配合チェスト８、及び、インレット１２を有する。
まず、原料である古紙はパルパー１に供給される。パルパー１において古紙を解きほぐしてスラリー状とするための離解工程が行われる。離解工程で得られたパルプスラリーは白水を含有し、粗選機２において異物を除去するための粗選工程が行われる。粗選工程で異物が除去されたパルプスラリーはストックタンク３を経て、スクリーン４にて粗選工程で除去しきれなかった異物をさらに除去する精選工程が行われた後、脱水機５にて脱水され、ストックタワー６およびマシンチェスト７を経て、配合チェスト８にてパルプ濃度の調整や添加剤の配合が行われ、インレット１２にパルプスラリーが供給される。各工程で排出される白水は白水回収ライン１０により回収され、白水ピット９に集約される。
なお、図１では、脱水工程で排出される白水を回収する白水回収ライン１０のみを図示している。脱水工程以外の工程で排出される白水を白水ピットに送る白水回収ライン１０は、図示しないが、適宜設置することができる。また、図１ではストックタンク３、ストックタワー６を図示しているが板紙の製造工程ではこれらの貯蔵目的の工程は設置されないことが多い。
【００３５】
白水ピット９に回収された白水は、パルパー１、パルパー１と粗選機２をつなぐ流路、粗選機２、ストックタンク３とスクリーン４をつなぐ流路等に白水を供給するための白水供給ライン１１を介し、古紙パルプ製造工程へ供給され、再利用される。また、図示しないが、マシンチェスト７や配合チェスト８に白水を供給するための白水供給ライン１１を設けてもよい。
【００３６】
本実施形態における白水改質方法及び古紙パルプ製造方法は、古紙パルプ製造工程の少なくとも一箇所でモノクロラミン及び／又はモノブロラミンを白水に連続添加することを含む。    
【００３７】
本実施形態において、モノクロラミン及び／又はモノブロラミンの少なくとも一箇所の添加場所としては、白水供給ライン１１ａ（図１の矢印Ａ）、１１ｂ（図１の矢印Ｂ）、１１ｃ（図１の矢印Ｃ）、１１ｄ（図１の矢印Ｄ）、精選機２の出口側流路（図１の矢印Ｅ）等が挙げられる。
【００３８】
図２は、本発明の他の実施形態における古紙パルプ製造工程のブロック図である。他の実施形態におけるモノクロラミン及び／又はモノブロラミンの少なくとも一箇所の添加場所としては、パルパー１からスクリーン４における少なくとも一箇所（図２の矢印Ｆ）及び／又はスクリーン４から配合チェスト８の入り口側流路における少なくとも一箇所（図２の矢印Ｇ）が挙げられる。
なお、モノクロラミン及び／又はモノブロラミンの少なくとも一箇所の添加場所としては、パルパー１から配合チェスト８までのパルプ原料を含む白水（パルプスラリー）が送付される原料ライン（図２における矢印Ｈ）の少なくとも一箇所であればよいが、系内の水バランスを考慮し、上記矢印Ｆで少なくとも一箇所及び上記矢印Ｇで少なくとも一箇所の計二カ所以上で添加することができる。
【００３９】
なお、図１及び図２に図示していないが、ストックタワー６とマシンチェスト７との間に、クッションタンクが介在してもよい。クッションタンクが介在することで、パルプスラリーのマシンチェスト７への送付が安定するためである。
また、図１及び図２に図示していないが、配合チェスト８を経たパルプスラリーが送付されるインレット１２から、白水を回収するための白水回収ラインを備えてもよい。この場合、インレット１２から排出された白水が白水ピット９に供給され、白水ピット９からマシンチェスト７又は配合チェスト８に白水が供給されてもよい。また、インレット１２から排出された白水が図示しない白水ピットに供給され、白水ピット９とは異なる白水ピットからマシンチェスト７又は配合チェスト８に白水が供給される構成であってもよい。
【００４０】
また、本発明において白水の残留塩素量を測定する場合、「パルパー１→脱水機５→白水ピット９→パルパー１」で形成される白水ループに含まれる送水ライン（パルパー１から脱水機５までの各機器と送水ライン、白水回収ライン１０及び白水供給ライン１１（１１ａ〜１１ｄ）を含む）のいずれか一箇所において、白水の残留塩素量が測定されることが好ましい。
さらに、インレット１２から白水を回収し、白水ピット９からマシンチェスト７又は配合チェスト８に白水を供給する場合は、「マシンチェスト７→インレット１２→白水ピット９→マシンチェスト７」で形成される白水ループに含まれる送水ラインの、いずれか一箇所において、白水の残留塩素量が測定されることとしてもよい。
なお、インレット１２から回収される白水が、白水ピット９とは異なる図示しない白水ピットに供給される場合は、白水ピット９を起点に形成される白水ループとは別に、図示しない白水ピットを起点に形成される白水ループにおいても白水の残留塩素量が測定されることが好ましい。
【００４１】
（実施形態１）
実施形態１における白水改質方法又は古紙パルプ製造方法は、古紙パルプ製造工程の少なくとも一箇所でモノクロラミン等を白水に連続添加する工程を含む。本実施形態１の白水改質方法又は古紙パルプ製造方法を行うことにより、古紙パルプ製造工程において（循環）使用される白水のｐＨ値及び残留塩素量が向上し、酸化還元電位（ＯＲＰ値）は、還元雰囲気から酸化雰囲気へ改善され、菌数の増加が抑制される。これにより、各工程における機械処理及び薬品処理が好適化されるため、添加剤の使用量は減少するにもかかわらず、高品質の古紙パルプを得ることができる。
【００４２】
（実施形態２）
実施形態２における白水改質方法及び古紙パルプ製造方法は、古紙パルプ製造工程における少なくとも粗選工程と脱水工程との間の流路のいずれかの箇所でモノクロラミン等を白水に連続添加する工程を含む。本実施形態２の白水改質方法又は古紙パルプ製造方法を行うことにより、古紙パルプ製造工程において（循環）使用される白水の残留塩素量が向上し、酸化還元電位（ＯＲＰ）は、還元雰囲気から酸化雰囲気へ改善され、菌数の増加が抑制される。これにより、各工程における機械処理及び薬品処理が好適化されるため、添加剤の使用量は減少するにもかかわらず、高品質の古紙パルプを得ることができる。
【００４３】
（実施形態３）
実施形態３における白水改質方法及び古紙パルプ製造方法は、古紙パルプ製造工程における少なくとも粗選工程と脱水工程との間の流路のいずれかの箇所、及び、パルパー工程及び／又はパルパー工程の直後の流路に供給される白水供給ラインでモノクロラミン等を白水に連続添加する工程を含む。本実施形態３の白水改質方法又は古紙パルプ製造方法を行うことにより、古紙パルプ製造工程において（循環）使用される白水のｐＨ値及び残留塩素量が向上し、酸化還元電位（ＯＲＰ）は、還元雰囲気から酸化雰囲気へ改善され、菌数の増加が抑制される。これにより、各工程における機械処理及び薬品処理が好適化されるため、添加剤の使用量は減少するにもかかわらず、高品質の古紙パルプを得ることができる。
【００４４】
上記連続添加工程は、一又は複数の実施形態において、モノクロラミン等を白水に対し、残留塩素量として０．５〜３０ｍｇ／Ｌとなるように連続添加することを含み、１〜３０ｍｇ／Ｌとなるように連続添加することを含むことが好ましく、経済性の点から１〜１０ｍｇ／Ｌ又は１〜５ｍｇ／Ｌとなるように添加することを含むことが好ましい。
【００４５】
以下の実施例及び比較例に基いて本発明を説明するが、本発明はこれに限定されるものではない。
【実施例】
【００４６】
実機試験１：本試験はモノクロラミンを白水に連続添加することで白水を改質した例である。
（実施例１及び比較例１）
某製紙工場Ａにて試験を行った。
（試験運転条件）
当該製紙工場Ａでは、原料に段ボール古紙を使用しており、従来白水の改質は行われておらず、古紙パルプ製造工程における各工程（パルパー工程、粗選工程、精選工程、脱水工程等）において、機械処理及び／又は薬品処理が行われていた。
下記調製例１に記載の薬品を連続添加する前２週間の特定の期間、連続しない任意の日を選択し、所定の箇所において白水のｐＨ、菌数、残留塩素量、疎水性物質量及び灰分等の測定を行った。その結果を下記表１及び図３〜１１に比較例１として記載する。
なお、この間も殺菌剤（１０〜１５ｋｇ／ｔ）が、４〜１２回／日の頻度で衝撃添加されていた。
（薬品の添加）
上記の運転条件において、粗選工程と精選工程との間の流路及び白水ピット９に下記調製例１に記載のモノクロラミンを白水にパルプ量換算で０．５〜１．０ｋｇ／ｔとなるように連続添加した。その後、４箇所において白水の残留塩素量の測定を１〜２回／日で行った。上記連続添加の開始から１４日程度で、上記測定箇所における白水の残留塩素量が０．５ｍｇ／Ｌ以上となっていることが確認され、白水が改質されたことを確認した。
上記薬品の連続添加開始後２カ月から３カ月の間で、連続しない任意の日を選択し、所定の箇所において白水のｐＨ、酸化還元電位（ＯＲＰ値）、濁度、電気伝導度、ＦＰＲ値（ファーストパスリテンション：マシンのワイヤー上の歩留まり）疎水性物質量、灰分、残留塩素量及び菌数等の測定を行った。その結果を下記表１及び図３〜１１に実施例１として示す。
表１は、パルプ製造工程の各工程におけるｐＨ、菌数及び残留塩素量の測定結果である。
【００４７】
（調整例１）次亜塩素酸ナトリウムと硫酸アンモニウムとの混合液の調製
次亜塩素酸ナトリウム溶液（残留塩素量：１４０ｋｇ／ｔ）を脱イオン水で残留塩素量が５ｋｇ／ｔになるように希釈した後、３０％硫酸アンモニウム水溶液（硫酸アンモニウム（キシダ化学株式会社製））３０ｋｇを脱イオン水で溶解し、全量を１００ｋｇとしたもの）と残留塩素と窒素とのモル比が１：１．２となるように調製した。
【００４８】
【表１】
2020128601.tif 000003
【００４９】
表１から、白水にモノクロラミンを連続添加することにより、白水が改質され、ｐＨ、菌数及び残留塩素量が改善されていることが分かった。
菌数に関しては、比較例１では、パルプ製造工程全体において、菌数が１０７ＣＦＵ／ｍｌと高く、ほぼ飽和状態であるのに対し、実施例１では、パルプ製造工程全体において菌数が１０６ＣＦＵ／ｍｌ以下に抑制されていた。従来のようにバイオフィルム生成抑制を主目的とした衝撃添加ではないため、衝撃添加後のように細菌数が増加することがなく、菌数が比較的低い値を維持していることが確認できた。
また、残留塩素量に関しては、比較例１では、パルプ製造工程全体において残留塩素が存在していないのに対し、実施例１では、パルプ製造工程全体において白水中の残留塩素量が１．０〜４．５ｍｇ／Ｌの範囲で存在していることが確認された。
【００５０】
また、図４によると、ストックタンクでは、白水の酸化還元電位（ＯＲＰ値）が−４００ｍＶ以下であったが、モノクロラミンを白水に連続添加し２０日程度経過し、白水が改質されると、ストックタンクにおける白水のＯＲＰ値は大幅に上昇し２００ｍＶあたりで安定した数値を保っていることが確認できた。
また、図１０に示すように、ストックタンクにおける澱粉濃度の上昇も確認できた。
また、図１１によると、白水改質方法による処理開始後の残留塩素濃度は、白水改質方法開始から２週間は残留塩素濃度が検出されなかったが、白水改質方法開始から２０日程度から検出されたことが確認できる。
【００５１】
さらに図８−１及び図８−２から分かるように、白水改質方法による処理開始後２０日程度でストックタンク及びインレットにおける白水中の疎水性物質が減少していることが確認できた。
白水中の疎水性物質が減少していることは、製造される古紙パルプの品質の良化を意味する。
酸化剤であるモノクロラミンを白水に連続添加すると、夾雑物が酸化分解されるため、電気伝導度及びカチオンデマンドが低下した。
以上のように、薬剤の連続添加により様々な系内の数値が改善し、その結果、欠陥数は１０分の１から５分の１に減少し、欠陥由来による一月の断紙回数が、３分の１〜２分の１に減少した。
そのため、マシンを止めての洗浄回数や断紙によるマシンの停止時間を大幅に削減することになり、結果として古紙の増産に寄与した。
【符号の説明】
【００５２】
１  パルパー
２  粗選機
３  ストックタンク
４  スクリーン
５  脱水機
６  ストックタワー
７  マシンチェスト
８  配合チェスト
９  白水ピット
１０  白水回収ライン
１１  白水供給ライン
１２  インレット
【図１】
2020128601.tif 000004
【図２】
2020128601.tif 000005
【図３】
2020128601.tif 000006
【図４】
2020128601.tif 000007
【図５】
2020128601.tif 000008
【図６】
2020128601.tif 000009
【図７】
2020128601.tif 000010
【図８−１】
2020128601.tif 000011
【図８−２】
2020128601.tif 000012
【図９】
2020128601.tif 000013
【図１０】
2020128601.tif 000014
【図１１】
2020128601.tif 000015